(57)【要約】【課題】従来の遠心ポンプではポンプの自己プライム能力を向上するためポンプ室内にバフル及び他の比較的に複雑な渦巻構造を用いており大きなポンプ室が必要となる。【解決手段】本発明の遠心ポンプは、自己プライム及び吸入リフト能力を最大にするため、ボリュートには放出ダクトの入口で円形の流れに変え、放出ダクトの出口で接線方向の流れに変える放出ダクトを有せしめ、その結果、放出液体からの空気の分離を最大とし、自己プライムポンプの再循環入口に再循環される放出液体に含まれる空気量を最少ならしめる。このポンプはトラシュポンプに好適である。【選択図】図８
2007146863.tif 000002
【特許請求の範囲】
【請求項１】
（Ａ）内部にポンプ室を有するポンプケースと、
（Ｂ）上記ポンプ室内に入れた回転可能なインペラと、及び
（Ｃ）上記ポンプ室内に入れたボリュートとより成り、
上記ボリュートが、１）少なくとも円形であり、上記インペラを取り巻く内側半径方向周縁と、２）少なくともトロイダル形状である外側半径方向面と、３）上記ポンプ室の出口に流体的に連通する半径方向出口と、及び４）上記半径方向出口に流体的に連通する再循環入口とを有し、上記半径方向出口が放出ダクトの出口で形成され、上記放出ダクトが、上記内側半径方向周縁に少なくとも接線をなす流体パターンでその出口から流体を放出する大きさ、形状であり、上記放出ダクトが内側半径方向の壁を有し、この壁が１）少なくとも直線状に、２）上記内側半径方向周縁に少なくとも接線をなすように延びる外端部分を有する自己プライム遠心ポンプ。
【請求項２】
上記放出ダクトが外側半径方向の壁を有し、この壁が１）少なくとも直線状に、２）上記内側半径方向周縁に少なくとも接線をなすように延びる外端部分を有する請求項１記載のポンプ。
【請求項３】
上記放出ダクトの上記外側半径方向の壁の内端部分が、上記ボリュートの上記外側半径方向面の隣接部分の曲率に少なくとも合致する曲率のカーブをなす請求項２記載のポンプ。
【請求項４】
上記放出ダクトの上記出口が上方を向き、上記放出ダクトの上記外側半径方向の壁に対し上記放出ダクトの上記内側半径方向の壁から下方に向って傾斜している請求項２記載のポンプ。
【請求項５】
上記放出ダクトの上記出口が、上記内側半径方向周縁に接線をなす線から１５°以下の角度をなす請求項１記載のポンプ。
【請求項６】
上記放出ダクトの上記出口が垂直面から１５°以下の角度をなす請求項５記載のポンプ。
【請求項７】
上記再循環開口が上記ボリュートの軸方向面に形成されている請求項１記載のポンプ。
【請求項８】
上記放出ダクトと上記再循環開口間に位置する上記ボリュートの上記外側半径方向の壁から外方に延びるバフルを更に有する請求項１記載のポンプ。
【請求項９】
上記ポンプが、分散された固形分を有する液体を送るように形成されたトラシュポンプである請求項１記載のポンプ。
【請求項１０】
上記放出ダクトがその入口から出口に向って少なくとも上方に延びる請求項１記載のポンプ。
【請求項１１】
（Ａ）入口と出口を形成したポンプ室を内部に有するポンプケースと、
（Ｂ）上記ポンプ室内に入れた回転可能なインペラと、及び
（Ｃ）上記ポンプ室内に入れた、上記インペラを取り巻く離脱可能なボリュートとより成り、
上記ボリュートが、１）少なくとも円形である内側半径方向周縁と、２）少なくともトロイダル形状である外側半径方向面と、３）上記ポンプ室の入口に流体的に連通する軸方向入口と、４）上記ポンプ室の出口に流体的に連通する半径方向出口と、及び５）上記半径方向出口に流体的に連通する再循環入口とを有し、上記半径方向出口が上記ボリュートの放出ダクトの出口で形成され、上記放出ダクトが、上記内側半径方向周縁に少なくとも接線をなす流体パターンでその出口から流体を放出する大きさ、形状であり、上記放出ダクトが内側及び外側半径方向の壁を有し、この各壁が１）少なくとも直線状に、２）上記内側半径方向周縁に少なくとも接線をなすように延びる外端部分を有する自己プライム遠心トラシュポンプ。
【請求項１２】
上記ポンプから、上記放出ダクトを含む上記ボリュートを一体として除去して上記ポンプを清掃可能とした請求項１１記載のポンプ。
【請求項１３】
上記ボリュートが、カバーの外面からカバーを通して延びるファスナでカバーに固定されており、上記カバーとボリュートの双方が除去される請求項１２記載のポンプ。
【請求項１４】
上記ファスナを除去することなく上記カバーとボリュートを一体として除去する請求項１３記載のポンプ。
【請求項１５】
上記ファスナを除去した後上記カバーとボリュートを分離して除去する請求項１３記載のポンプ。
【請求項１６】
上記放出ダクトがその入口から外側に少なくとも上方に延びている請求項１１記載のポンプ。
【請求項１７】
（Ａ）十分な量の空気を含む流体が遠心ポンプのインペラ内に少なくとも軸方向に引き込み、
（Ｂ）少なくとも円形である内側半径方向縁と少なくともトロイダルである外側半径方向面とを有する、上記インペラを囲むボリュートを通して上記流体を流し、
（Ｃ）上記放出ダクトの入口における円形の流れを上記放出ダクトの出口において上記内側半径方向縁に対し少なくとも接線方向の流れに変えるよう上記放出ダクトに上記流体を流し、上記放出ダクトが内側半径方向の壁を有し、この壁が１）少なくとも直線状に、２）上記内側半径方向縁に少なくとも接線をなすように延びる外端部分を有し、上記内側半径方向の壁がこれを通して少なくとも円形の流れを少なくとも接線方向の流れに変えるポンプ。
【請求項１８】
１）放出流体の一部を上記ボリュートの再循環入口に再循環し、この再循環流体部分が含有する空気を放出流体の含有する空気より少なくし、
２）放出流体の再循環部分を、上記インペラに軸方向に流入する、上記放出流体の再循環部分が含有する空気より多い空気を含有する流体に合流し、
３）上記の放出ダクトの入り口において円形の流れを上記の放出ダクトの出口において上記内側半径方向縁に対し少なくとも接線方向の流れに変えるよう上記放出ダクトに上記合流した流体を流す
請求項１７記載のポンプ。
【請求項１９】
放出流体の再循環部分が少なくとも本質的に空気を有しなくなる迄再循環及び合流を繰り返す請求項１８記載のポンプ。
【請求項２０】
放出流体の再循環部分が、上記放出ダクトから放出された後の、上記ボリュートの周りの放出流体の大部分を有し、更に、この大部分の流体を、空気含有量が比較的に多い外側半径方向部分と、含有空気が比較的に少ない、放出流体の再循環部分を形成する内側半径方向部分に分離する請求項１７記載のポンプ。
【請求項２１】
１）カバーとボリュートを一体としてポンプから除去するか、２）上記ボリュートを上記ポンプケース内に残しながら上記ポンプケースから上記カバーを除去することを選択できる請求項１７記載のポンプ。
【請求項２２】
その入口から上方に延びる上記放出ダクトが外側半径方向壁を有し、この壁が１）少なくとも直線状に、２）上記内側半径方向周縁に少なくとも接線をなすように延びる外端部分を有する請求項１７記載のポンプ。
【発明の詳細な説明】
【技術分野】
【０００１】
本発明は遠心ポンプ、特に、トロイダル  ボリュートに比べ放出特性が改良されたボリュート（ＶＯＬＵＴＥ）を有する遠心ポンプに関するものである。
【背景技術】
【０００２】
運動エネルギポンプとして知られる遠心ポンプは流体処理装置として広く用いられている。このようなポンプでは内部または外部動力源によりインペラを駆動して液体をポンプ室に流し、ポンプ室から液体を加圧放出している。最も代表的なものでは、液体をインペラの軸方向入口に流し、インペラの周りのボリュートによって形成されたトロイダル流路を通してインペラによって流体をボリュートとポンプ出口から放出する。
【０００３】
トラシュポンプ及び多くの他の遠心ポンプの特徴は“自己プライム”にある。総べての遠心ポンプは呼び水（プライム）しなければならず、即ち、遠心ポンプは空気を追い出すことができないためその操作の前に少なくとも部分的に水で満たす必要があり、これを自己プライムと呼んでいる。ポンプが水源より下方に位置せず、従って水を重力によってポンプ室に流下できない場合には、操作の前にポンプ室内に水を手動で注ぐ必要がある。自己プライムポンプでは外側または内側水タンクを有し、従って流れが遅い期間手動プライムを続ける必要がない。自己プライムの能力は、遠心ポンプにフラップ弁または他の一方向弁を用いることによって向上できる。一方向弁はポンプ室から吸入口への流体の流れを阻止し、従って、流れが遅い間ポンプ室が完全にまたは完全に近く水で満たされる。
【０００４】
自己プライムは、ポンプに対する液体の流速がしばしばポンプの最小放出速度以下に低下する用途において特に重要となる。例えば、ポンプのための吸引ホース内に空気が流入し、ポンプが停止したときである。然しながら、ホースが再び水で満たされる迄ポンプ室内の残りの水によるポンプの呼び水がなされる。その結果、ポンプ機能が回復し、吸引ホース内に再び空気が入り込むまでポンプ機能が維持される。
【０００５】
自己プライムのためトラシュポンプ及び多くの他の遠心ポンプはいわゆる“再循環方法”を用いている。これらのポンプは、処理できる水の総てをインペラに供給するためには全く十分でない大きさの再循環口をボリュート内に設けている。その結果、及びボリュートの他の理由によりインペラによってポンプの吸入口から空気が引き込まれる。この結果生じた空気と水の混合物はインペラによって繰り返しポンプ室に放出する。ポンプ室内で水と気泡が分離され、空気の大部分がポンプ室から放出される。従って再循環口に帰される液体内の空気は比較的に少なく、ボリュートを流れる流体の濃さが増加し、従って、ポンプの効率が増加する。このサイクルは十分な空気が吸入ホースから放出され、水をポンプ室内に吸引するに十分な真空が作られる迄続けられる。
【発明の開示】
【発明が解決しようとする課題】
【０００６】
遠心ポンプの操作には幾つかのファクタが影響する。これらファクタは最大放出容量、最大合計ヘッド、最大合計吸入リフトを含む。ボリュートは、最大放出容量に影響を及ぼし、最大合計ヘッドは既知の機械的計算によって制御される。然しながら、ボリュートの最大吸入リフト能力とプライム能力はより実験的に最良の値に決定される。従って、多くの自己プライム遠心ポンプは、ポンプの自己プライム能力を向上するためポンプ室内にバフル及び他の比較的に複雑な渦巻構造を用いているが、この改良のためには大きなポンプ室が必要となる。
【０００７】
従って、本発明の目的はポンプの最大吸入リフト能力を向上し、より高いプライム速度を得る遠心ポンプボリュートを得るにある。
【課題を解決するための手段】
【０００８】
本発明の遠心ポンプにおいては、内部にポンプ室を有するポンプケースと、ポンプボリュートには最大吸込リフトと自己プライムを改良する形の放出口を有せしめる。ポンプには上記ポンプ室内に入れた回転可能なインペラと、及び上記ポンプ室内に入れたボリュートとを有せしめる。上記ボリュートには少なくとも円形であり、上記インペラを取り巻く内側半径方向周縁と、少なくともトロイダル形状である外側半径方向面と、上記ポンプ室の出口に流体的に連通する半径方向出口と、及び上記半径方向出口に流体的に連通する再循環入口とを有せしめる。上記出口は放出ダクトの出口で形成し、上記放出ダクトは、上記内側半径方向周縁に少なくとも接線をなす流体パターンでその出口から流体を放出する大きさ、形状とする。好ましくは上記放出ダクトには内側及び外側半径方向の壁を有し、この内側半径方向の壁には少なくとも直線状に、上記内側半径方向周縁に少なくとも接線をなすように延びる外端部分を有せしめる。また、外側半径方向の壁には少なくとも直線状に、上記内側半径方向周縁に少なくとも接線をなすように延びる外端部分を有せしめる。上記放出ダクトの上記出口は上方を向き、上記放出ダクトの上記外側半径方向の壁に対し上記放出ダクトの上記内側半径方向の壁から下方に向って傾斜している。好ましくは上記放出ダクトの上記出口は垂直面に対して１５°以下の傾斜とする。
【０００９】
本発明の他の目的、利益及び特徴は以下図面と共に詳細に説明するが、本発明はその図面及び説明で示す実施例に限定されることなく本発明の精神の範囲内で種々増減変更できることは勿論である。
【発明を実施するための最良の形態】
【００１０】
以下図面によって本発明の実施例を説明する。
【実施例１】
【００１１】
図１は本発明のエンジン駆動遠心トラシュポンプ１０を示す。このポンプ１０は外部動力源を用いることなく自己作動可能なものである。このポンプ１０は緩衝体１８を介して支持／搬送フレーム１６上に一体に設けたポンプケース１２とエンジン１４とを有する。フレーム１６は装置使用の間及び輸送の間ポンプ１０を支持し保護する機能を有する。支持ブラケット１７はポンプ１０を作業位置から作業位置に移動するために用いる。この支持ブラケット１７はポンプケース１２とエンジン１４間に配置し、ポンプケース１２に固定する。
【００１２】
エンジン１４は以下詳述するようにポンプのインペラにトルクを伝達することができる任意の部材を有する。この実施例におけるエンジン１４はタンク２０からガソリンが供給されるガソリンエンジンとする。このエンジン１４はポンプケース１２の後壁２４に隣接し、図５に示すようにポンプケース１２の後壁２４を貫通して延びる出力軸２２を有する。エンジン１４のサイズはポンプ１０のサイズに応じて変える。代表的なポンプ１０は、５．５馬力のエンジンによって付勢される直径２インチの放出オリフィスと、８馬力のエンジンによって付勢される直径３インチの放出オリフィスを有する。
【００１３】
図１〜図３に良く示すように、ポンプケース１２はインペラ２８とボリュート（渦巻部材）３０とを囲む内側ポンプ室２６を有する。ボリュート３０とインペラ２８にアクセスするため、後壁２４に対向して配置したポンプケース１２の前壁３４にフロントアクセス開口３２を設ける。このフロントアクセス開口３２は、このアクセス開口３２を通してポンプ室２６内に延びるカバー３８によって通常は閉じる。上記カバー３８はアクセス開口３２を通してポンプ室２６内に延び、ポンプケース１２の前壁３４に連なる面となる前面４０を有する。カバー３８の操作を容易ならしめるためカバー３８の前面４０にハンドル４２をボルト付けするのが好ましい。
【００１４】
図３〜図６に良く示すように、ポンプ室２６はインペラ２８とボリュート３０の上部に位置する、流体入口４４と流体出口４６とを有する。この実施例においては、入口４４はポンプケース１２の前壁３４を通して外部フイッテング４８から軸方向に延びポンプ室２６内に至る。出口４６はケース１２の側壁３６を通してフイッテング４９から軸方向に延びポンプ室２６に至る。図６に良く示すように、入口４４は入口通路５２を介してインペラ２８の軸方向入口５０に接続する。入口通路５２は上方垂直部分５４と、下方部分５６とを有する。上方垂直部分５４はカバー３８の上方のポンプケース１２内に位置する。下方部分５６はカバー３８の後壁５８内に形成する。下方部分５６は垂直脚と水平脚とを有するＬ型形状とする。垂直脚は上方部分５４に接する。水平脚はカバー３８の後壁５８の円形ボス６０として形成し、この円形ボス６０はシールリング６３と共にボリュート３０の軸方向前面６４上の円形フランジ６２にシール係合する。アクセス開口３２からの漏れは、カバー３８とアクセス開口３２の外周間に介挿したシールリング５３と５５によって阻止する。
【００１５】
図３と図６に示すように、フラップ弁６６を入口４４に配置する。このフラップ弁６６は、ポンプ操作の間、または入口４４に対する液体の流速がポンプ１０の最少放出値以下に低下したとき、入口４４を通してポンプ室２６の外側に液体が流れるのを阻止するチェック弁として作用する。更に、ポンプ作用の前に呼び水を入れるための呼び水用オリフィス６８をポンプケース１２の頂部に形成する。この呼び水用オリフィス６８は、ポンプ１０の正常操作の間はプラグ７０によって閉じる。また、ドレン開口７２をポンプ室２６の底部に形成し、通常はこれをプラグ７４で塞ぐ。
【００１６】
インペラ２８は、エンジン出力軸２２と共に回転し、液体とこれに含まれる材料を押圧し、ボリュート３０を介して流す構造とする。図４〜図６に示すように、インペラ２８は円形後板８４から前方に延びる２つのブレード８０と８２を有する。このブレード８０と８２は、弧状でボリュート３０によって囲まれ、後述するようにボリュート３０を通して流体を流す。後板８４から後方に延びるねじボス８６をエンジン出力軸２２に固定し、エンジン１４とインペラ２８とを結合する。
【００１７】
図３〜図５に示すように、カバー３８をボリュートファスナ９０によってボリュート３０に結合し、また、２個のカバーファスナ９２によってポンプケース１２に結合し、ポンプケース１２の外側からこれら総てにアクセス可能とする。ボリュートファスナ９０はカバー３８とボリュート３０を一体に結合するが、ボリュート３０とは独立にポンプケース１２からカバー３８を外すためカバー３８の前面４０からボリュートファスナ９０を選択的に除去できるようにする。ボリュートファスナ９０は、カバー３８を通して形成した関連するカウンタボア開口９４を通して延び、ボリュート３０の軸方向前面６４に形成したタップ孔９６に入る脚ボルトとする。この実施例においては３本のボリュートファスナ９０を用いる。
【００１８】
カバーファスナ９２は、工具を用いることなくポンプ１０からカバー３８とボリュート３０を一体に除去可能ならしめる構成とする。即ち、図３に示すように各ファスナ９２には、ケース１２の前壁３４から延び、前壁３４の後方位置でポンプケースに固定されるねじロッド１００を有せしめる。各ロッド１００はカバー３８の対応する隅部のノッチ１０２の内側及び外側に揺動自在とする。ポンプケース１２に対してカバー３８を固定するためノブ１０４をロッド１００に手で螺合できるようにする。このノブ１０４は、ロッド１００に螺合可能な雌ねじを有する第１の脚１０６と、この第１の脚１０６から直角に延びる第２の脚１０８とを有するＴ型とするのが好ましい。第２の脚１０８は長手方向に離間した一対の三角形状親指係合部１１０を有する。この係合部１１０は操作者がつかむときの疲労の少ない接点となり、必要に応じて図２に示すライン１１２に沿ってねじ廻し等の工具を挿入するときの係合面として機能する。
【００１９】
ポンプケース１２にボリュート３０とカバー３８とを取り付けるため、ボルト９０をカバー３８の前面４０からカバー３８内にボア開口９４を通して挿入し、ボリュート３０内のタップ孔９６内に螺合することによってカバー３８とボリュート３０を始めに一体に結合し、ボリュート／カバー組立を形成する。この組立を、次いでポンプケース１２内のアクセス開口３２内に位置せしめ、この結果、図６に示すようにボリュート３０がインペラ２８を囲む関係でポンプ室２６内に位置され、シール１１６によってポンプケース１２の後壁２４上のボス１１４に対しシールされるようにする。次いでカバーファスナ９２をカバー３８内のノッチ１０２内に入れ、ノブ１０４をねじロッド１００に螺合し、カバー３８とボリュート３０をポンプケース１２の前壁３４に対して位置決め固定し、図３に示すシールリング５３と５５がカバー３８とボリュート３０間に挟持されるようにする。
【００２０】
保守のためカバー３８とボリュート３０を一体に取り外し、またはボリュート３０を交換するため、またはポンプ室２６の内部へのアクセスを形成するためにはノブ１０４を緩め、カバーファスナ９２をカバー３８の隅部のノッチ１０２から外す。操作者によりハンドル４２をつかみ、図４に示すようにポンプケース１２からカバー３８とボリュート３０を取り外す。
【００２１】
図５に示すように塵“Ｄ”によってポンプ室２６の代りにボリュート３０が詰まった場合のようにボリュート３０を除去することなしにカバー３８を除去することが望ましい場合には、操作者は始めに図５に示すように外側からボリュートファスナ９０を除去すればボリュート３０を除去することなくポンプケース１２からカバー３８を除去できる。カバー３８を上述のように除去すれば、ポンプ室２６からボリュート３０を除去することなくポンプ室２６の内部に対しアクセス可能となる。
【００２２】
（ボリュートの構成及び作用）
【００２３】
ボリュート３０は、１）ポンプの自己プライム速度を増加し、ポンプの吸込能力を最大とし、２）且つポンプ室２６からボリュート３０を除去できるような形状ならしめる。図６から図８に示すように、上記実施例のボリュート３０は円形の半径方向内縁１２０と、外側の半径方向トロイダル周面１２２と、軸方向前面６４と、開かれた内側軸方向受面１２４とを有する。分岐室１２６を、円形の内縁１２０によって定められる内側境界と、ボリュート３０の外側の半径方向周面１２２によって定められる外側境界によって形成する。室１２６は内端から外端に向ってその断面積が増加するポンプ液のための流路を形成するため一般にトロイダル形状とする。この室１２６は後述するように円形の内縁１２０から接線方向に延びる放出ダクト１２８に達する。再循環入口１３０をボリュート３０の軸方向前面６４内に形成する。その直径は後述するボリュート放出オリフィス１４２の直径より十分に小さくし、いわゆる自己プライムの“再循環方法”を達成し得るようにする。最後に、バフルまたはデフレクタ１３２を、放出ダクト１２８と再循環入口１３０との間で後述する理由のため半径方向周面１２２から外方に、流体の流れ方向に延ばす。
【００２４】
図４〜図８に示すように放出ダクト１２８は、従来の遠心ポンプの場合と同様、少なくとも円方向ではなく円形内縁１２０に対し少なくとも接線となるようポンプ流体を放出することによってポンプによって送られる液体とその内部の空気とを最大に分離する形ならしめる。放出ダクト１２８は更に、ポンプ室の清掃その他のためポンプ１０からボリュート３０全体を容易に除去できるようにするためボリュート３０に一体に形成する。ボリュート３０には内側及び外側半径方向の壁１３４と１３６及び内側及び外側軸方向の壁１３８と１４０とを有せしめる。ボリュート３０の内側及び外側軸方向の壁１３８と１４０は互いに及び他の内側及び外側軸方向受面１２４と６４に平行に延ばす。内側半径方向の壁１３４は、ボリュート３０の内側半径方向縁１２０によって定められる面から接線方向内側に延ばす。外側半径方向の壁１３６は少なくとも直線状に、またその出力端である内側半径方向の壁１３４に少なくとも平行に延ばすが、ボリュート３０の関連する部分の軸方向受面１２４の曲率に少なくとも合致する角度でその内端をカーブせしめるのが好ましい。図８に示すように放出ダクト１２８の放出オリフィス１４２は傾斜せしめ、好ましくは外側半径方向の壁１３６に向って放出ダクト１２８の内側半径方向の壁１３４から弧状に下方に且つ外方に延びるようにする。
【００２５】
ポンプ１０操作の任意の時点で空気がホースからポンプ１０内に引かれてポンプ室２６内の水のレベルが図８に示すように入口４４のレベル以下に低下すれば、空気がポンプ室２６に入ってポンプ操作が停止するがインペラ２８の回転は継続する。このインペラの回転によってボリュート通路である分岐室１２６内に空気または空気を含む多量の流体が押圧される。分岐室１２６内の流体は後述するように濃い液体と合流し、放出ダクト１２８内に流され、放出ダクト１２８の入口における円方向の流れは放出オリフィス１４２において接線方向の流れに変えられる。図８に示すように、放出流の少なくとも１部はボリュート３０の外側に帰還し、一方比較的多くの空気が出口４６を通して内側ポンプ室２６から放出される。従って、再循環される流体内の空気は流入流体内のそれより十分に小さい。バフル１３２は、再循環流体が再循環入口１３０に達する前に再循環流から空気を更に分離する。即ち、上方を向く放出ダクト１２８は噴水効果をもたらし、再循環水をバフル１３２の周りに落下し、空気が水から再に分離される。ボリュート３０の再循環入口１３０内に流れる再循環流に含まれる空気は、ボリュート３０の周りに流れ再循環入口１３０にバイパスされる流体内の空気より本質的に少ない。比較的濃く、従って空気を多量に含む流体よりもより容易にポンプにより移送できる分岐室１２６内の合流した流体は放出ダクト１２８から少なくとも接線方向に放出され、合流した流体に含まれる空気の大部分が再循環されずにポンプ室２６から放出される。この連続したポンプ作用及び再循環プロセスは入口４４から十分な空気が放出される迄繰り返し、ポンプ室２６に流体を引き込み、自己プライムを完成せしめ、正常なポンプ作用を開始しまたは再開せしめる。
【００２６】
本発明の実施例は種々変更できる。例えば放出ダクト１２８に入る流体の円形方向の流れを放出オリフィス１４２において接線方向の流体に変えるためには幾つかの異なる放出ダクトを用いることができる。更に、放出ダクトを垂直面に対して傾斜せしめても良い。ダクト出口は垂直に向ける必要があるが、垂直面から傾斜せしめても良い。更に、放出ダクトの長さは種々変えることができる。
【図面の簡単な説明】
【００２７】
【図１】本発明のトラシュポンプの斜視図である。
【図２】図１に示すポンプの分解斜視図である。
【図３】図１に示すポンプの分解斜視図である。
【図４】図１に示すポンプの一部の分解縦断側面図である。
【図５】図４に対応するポンプの一部の分解縦断側面図である。
【図６】ポンプケース及び関連部品の縦断側面図である。
【図７】図６の７−７線断面図である。
【図８】図６の８−８線断面図である。
【符号の説明】
【００２８】
１０  トラシュポンプ
１２  ポンプケース
１４  エンジン
１６  支持／搬送フレーム
１７  支持ブラケット
１８  緩衝体
２０  タンク
２２  出力軸
２４  後壁
２６  内側ポンプ室
２８  インペラ
３０  ボリュート
３２  フロントアクセス開口
３４  前壁
３６  側壁
３８  カバー
４０  前面
４２  ハンドル
４４  流体入口
４６  流体出口
４８  外部フィッテング
４９  フイッテング
５０  軸方向入口
５２  入口通路
５３  シールリング
５４  上方垂直部分
５５  シールリング
５６  下方部分
５８  後壁
６０  円形ボス
６２  円形フランジ
６３  シールリング
６４  軸方向前面
６６  フラップ弁
６８  呼び水用オリフィス
７０  プラグ
７２  ドレン開口
７４  プラグ
８０  ブレード
８２  ブレード
８４  円形後板
８６  ねじボス
９０  ボリュートファスナ
９２  カバーファスナ
９４  カウンタボア開口
９６  タップ孔
１００  ねじロッド
１０２  ノッチ
１０４  ノブ
１０６  第１の脚
１０８  第２の脚
１１０  親指係合部
１１２  ライン
１１４  ボス
１１６  シール
１２０  内側半径方向縁
１２２  外側半径方向周面
１２４  内側軸方向受面
１２６  分岐室
１２８  放出ダクト
１３０  再循環入口
１３２  バフルまたはデフレクタ
１３４  壁
１３６  壁
１３８  壁
１４０  壁
１４２  放出オリフィス
【図１】
2007146863.tif 000003
【図２】
2007146863.tif 000004
【図３】
2007146863.tif 000005
【図４】
2007146863.tif 000006
【図５】
2007146863.tif 000007
【図６】
2007146863.tif 000008
【図７】
2007146863.tif 000009
【図８】
2007146863.tif 000010